(57)【要約】【課題】液体収納容器において、最も内側の層よりも外側の層を形成するために用いられる樹脂が、所定位置以外の位置に流入することが抑えられる液体収納容器を提供すること。【解決手段】インク容器２０と蓋部材１０とを有するインクタンク１において、インク容器２０は、型成形によって複数の層が重ねられて形成されている。インク容器２０を形成する複数の層のうち内層２１の側壁２５における蓋部材側の端部には、蓋部材側の端部から突出した流入防止部２６が形成されている。【選択図】図１
2010036367.tif 000002
【特許請求の範囲】
【請求項１】
液体容器と蓋部材とを有し、内部に液体を収容する液体収納容器において、
前記液体容器は、型成形によって複数の層が重ねられて形成され、
前記液体容器を形成する複数の層のうち最も内側に形成された内層の側壁における蓋部材側の端部には、前記蓋部材側の端部から突出した突出部が形成されていることを特徴とする液体収納容器。
【請求項２】
前記突出部は、前記内層の側壁における蓋側端部以外の部分での最も外側の位置よりもさらに外側に突出して形成されていることを特徴とする請求項１に記載の液体収納容器。
【請求項３】
前記突出部は、前記内層の側壁における蓋部材側の端部から、さらに蓋部材側に突出して形成されていることを特徴とする請求項１または２に記載の液体収納容器。
【請求項４】
前記内層が第１樹脂によって形成され、
前記内層よりも外側の層が第２樹脂によって形成され、
前記第１樹脂が前記第２樹脂以上の透明性を有し、
前記液体容器の内部に収容された液体の残量を検知するためのプリズムが配置され、
前記プリズムが前記第１樹脂によって形成され、
前記プリズムにおける液体と接触する部分に対応する部分が前記液体容器の外部に露出されていることを特徴とする請求項１から３のいずれかに記載の液体収納容器。
【請求項５】
前記内層が第１樹脂によって形成され、
前記内層よりも外側の層が第２樹脂によって形成され、
前記第１樹脂が前記第２樹脂以上の透明性を有し、
前記液体容器の内部に収容される液体に係る個体情報を記憶した情報記憶媒体と発光部とを有し、
前記発光部の光を前記液体容器の外部に導光する導光部を有する液体収納容器であって、
前記導光部が前記第１樹脂によって形成されていることを特徴とする請求項１から４のいずれかに記載の液体収納容器。
【請求項６】
前記内層が第１樹脂によって形成され、
前記内層よりも外側の層が第２樹脂によって形成され、
前記第２樹脂は、リサイクルされた材料を含む再利用材であることを特徴とする請求項１から５のいずれかに記載の液体収納容器。
【請求項７】
前記内層が第１樹脂によって形成され、
前記内層よりも外側の層が第２樹脂によって形成され、
前記第１樹脂は、再利用されていないバージン樹脂であることを特徴とする請求項１から６のいずれかに記載の液体収納容器。
【請求項８】
液体容器と蓋部材とを有する液体収納容器の製造方法であって、
前記液体容器が、型成形によって複数の層が重ねられて形成され、
前記液体容器を形成する複数の層のうち最も内側に形成された内層と、前記内層よりも外側の層とを形成するために共通に用いられる共通型を少なくとも一つ用いて前記液体容器を形成する液体収納容器の製造方法において、
共通型と、前記内層の側壁における蓋部材側の端部に前記蓋部材側の端部から突出する突出部を形成可能な第１の型との間に第１樹脂が充填されて前記内層が成形される一次成形ステップと、
前記共通型と第２の型との間に第２樹脂が充填されて前記内層よりも外側の層が成形される二次成形ステップと
を有することを特徴とする液体収納容器の製造方法。
【発明の詳細な説明】
【技術分野】
【０００１】
本発明は、記録媒体に対し液体を吐出させて記録を行う記録装置において用いられる液体収納容器に関するものである。
【背景技術】
【０００２】
近年、記録ヘッドより記録媒体に対してインク滴を吐出して記録を行うインクジェット記録装置が急速に普及している。このようなインクジェット記録装置は小型化が容易であり、また比較的簡単にカラー記録を行うことができるなどの利点を有している。
【０００３】
このようなインクジェット記録装置としては、液体収納容器としてのインクタンクを備え、そのインクタンクから記録ヘッドにインクを供給して記録ヘッドから記録媒体へインクを吐出する形式のものがある。インクジェット記録装置で用いられるインクタンクはインクジェット記録装置が普及したことにより、使用量・生産量は年々増大している。そして、そのようなインクタンクとしては、成形型の内部に樹脂が充填され、射出成形を行うことで樹脂が所定の形状に成形されて製造されるものが多く採用されている。
【０００４】
このように、一般に、インクを貯留するインクタンクとしては、樹脂によって製造されることが多い。そして、インクタンクで使用される樹脂については、機械的強度、耐薬品性、ガスバリヤ性が優れていることが求められる。従って、これまでは、インクタンクの製造においては、再生樹脂はあまり使用されず、まだ使用されていないバージン樹脂が多く使用されてきた。
【０００５】
しかしながら、現在、世界的にユニバーサルデザインへの取り組みが社会で広く行われている。このようなユニバーサルデザインの考えのもと、工業製品が視認性及び使い易さ等を考慮して製造されている。このような観点から、製品におけるユーザーへの使い易さが考慮されたデザインの重要性が高まっている。このようなユニバーサルデザインの考え方から、インクタンクにおいては、多層に形成されたインクタンクの外層の一部が、収納されているインクの色と同じ色に着色されて形成されたインクタンクが採用されたものがある。このような形式のインクタンクは、バージン樹脂とは別にインクの色と同色に着色された樹脂が用いられて形成されている。このようにインクタンクが形成されることで、インクタンク内部のインクの色の視認性が向上され、ユーザーに対し収納されているインクの色が識別し易くなるようにされている。このように、バージン樹脂によって形成された層と着色された層を含む複数の層によって形成されたインクタンクが多く採用されている。
【０００６】
また、最近では社会的に、メーカーによる環境問題への取り組みが注目されている。このことから、こうしたインクタンクの製造において、環境に配慮しつつ製品を製造するために様々な取り組みが進められている。このような環境問題への取り組みの一環として製品の生産→販売→回収→再利用を行うクローズドリサイクルへの取り組みが行われ、これによって材料の再利用が進められている。このように、インクタンクの製造において、一部に再生樹脂が用いられて成形が行われ、インクタンクが製造されることがある。
【０００７】
このように環境に配慮されたインクタンクとしては、特許文献１に、リサイクルした再生樹脂を用いたインクタンクの成形法が開示されている。特許文献１に開示されているインクタンクの成形法では、多層射出圧縮成形法が用いられ、成形される部材の少なくとも一層が再生樹脂によって成形される。
【０００８】
また、特許文献２では外壁の少なくとも一部に再生樹脂を用いて形成されているインクタンクが開示されている。特許文献２に開示されているインクタンクでは、内部に貯留されるインクと接する部分では、まだ使用されていないバージン樹脂が用いられ、インクに接しない外壁部分では再生樹脂が用いられている。このようにインクタンクを形成することで、インクタンクの耐インク性を保ちながら一部に再生樹脂が用いられたインクタンクが製造される。
【０００９】
上記のようなインクタンクの製造工程においては、一般に、インクとインクタンクとが接触して、インクタンクの樹脂成分がインク内に溶出することにより生じるインクの品質への影響について考慮することが求められている。インクが耐インク性を有していない樹脂によって形成されたインクタンク内部に貯留されると、貯留されているインクへ樹脂成分が流入し、これによってインクの成分が変化してしまう虞があるからである。
【００１０】
また、インクタンクを形成する樹脂のガスバリヤ性が不十分なことに起因して、インクタンク内部に透過した空気によりインクの成分が変化することも考えられる。このような理由によって、インクの特性が変化してしまうことでインクの品質が損なわれる虞がある。
【００１１】
このため、インクタンクにおけるインクを貯留する部位には、耐インク性や空気に対する不透過性を有した材質のものによって形成されることが求められる。従って、新たに使用されるバージン樹脂と、着色した樹脂あるいはリサイクルによって再利用される樹脂とを同時に用いてインクタンクを形成する際には、インクを貯留する部位にはバージン樹脂が用いられることが求められる。また、インクと接触しない部位には、着色された樹脂や再生樹脂が用いられても良い。
【００１２】
【特許文献１】特開２００６−１５９８９７号公報
【特許文献２】特開平８−１８７８７１号公報
【発明の開示】
【発明が解決しようとする課題】
【００１３】
上記の特許文献１および特許文献２に開示されているような従来のインクタンクの製造工程の一例について、図１９から図２２を参照して説明する。図１９に示されるように、液体収納容器としてのインクタンク１０１は、蓋部材１１１と液体容器としてのインク容器１２０とを有して形成されており、インク容器は内側の内層１２１と外側の外層１２２との二層の樹脂層を有して形成されている。
【００１４】
図１９には、従来のインクタンクの断面図が示されている。二層に形成されているインク容器１２０のうち内側の内層１２１はインクを貯留する部位である。従って、内層１２１は耐インク性及び空気に対する不透過性を有している材質によって形成されている。そして、内層１２１の外側には、内層１２１の外周を覆うように外層１２２が形成されている。
【００１５】
図２０（ａ）には、図１９に示されるインクタンク１０１におけるインク容器１２０の製造工程のうちの一次成形の工程が示されている。ここで、一次成形は、インク容器１２０のうちの内層１２１を型成形によって形成する工程である。一次成形では、インク容器１２０を型成形するための型として可動型１６０と第１固定型１６１とが用いられている。そして、図２０（ａ）に示されるように、可動型１６０と第１固定型１６１との間に射出シリンダー１６３によって第１樹脂２１−ａを射出する。このとき、可動型１６０と第１固定型１６１との間には型締め力が保持された状態であるので、第１樹脂２１−ａが加圧されながら充填される。そして、その後加圧された際の圧力を保ちながら冷却し、第１樹脂１２１−ａを固化させることで内層１２１を形成する。
【００１６】
図２０（ｂ）には、一次成形によって形成されたインク容器１２０のうちの内層の側壁部分の端部の断面図が示されている。図２０（ｂ）に示されるように、内層１２１の側壁には、蓋部材側の端部における蓋と接する面から略垂直に延びるように側面が形成されている。
【００１７】
図２１（ａ）に示される工程は、一次成形と、後述する二次成形との間の工程である。一次成形で成形された内層１２１が可動型１６０から離間せずに付着したまま可動型１６０が第２固定型１６２に対応した位置に移動することで、第１固定型１６１が第２固定型１６２に入れ替わる。このとき、内層１２１と第２固定型１６２との間には、後述する外層を形成する樹脂が位置するためのスペースが確保されている。このとき、一次成形の工程から二次成形の工程へ移る間に、内層１２１が冷却されることで内層１２１が図２１（ａ）に示される矢印の方向に収縮する。
【００１８】
図２１（ａ）では、矢印の大小が収縮量の大小の関係を示している。ここで、樹脂の収縮量は、成形された樹脂の厚さに比例する。従って、この例でのインク容器の形状では、側壁１２５においては、インク容器１２０における底面からインク容器の高さ方向には側壁１２５の厚さ方向に比べて比較的大きく収縮する。このとき、側壁１２５の高さ方向の収縮については、底面１２４が可動型１６０に接していることから収縮による変化量が側壁１２５の端部に現れてしまう。図２１（ｂ）には、このときの内層１２１の端部が示されている。上述したように、内層１２１が収縮することから、内層における蓋部材１１０に接触する面であるインク容器側結合部１２３と可動型１６０との間に隙間１６５が発生している。
【００１９】
そして、可動型が第１固定型１６１に対応した位置から第２固定型１６２に対応した位置に移動すると、図２２（ａ）に示されるように、内層１２１と第２固定型１６２との間のスペースに、外層を形成するための第２樹脂２２−ａが射出されて二次成形が行われる。
【００２０】
このとき、一次成形と二次成形との間で発生した内層と可動型との間に、内層１２１が固化する際に収縮することに起因して隙間１６５が存在することにより、この隙間１６５に樹脂が流れ込む虞がある。隙間１６５に樹脂が流れ込んで形成されたインク容器の端部について、断面図を図２１（ｂ）に示す。一次成形に用いられる樹脂は、インクと接触する部分である内層に用いられることが想定されているので、耐インク性能及びガスバリヤ性が確保されている。また、蓋部材１１０との間の結合強度が確保されている。しかしながら、二次成形に用いられる樹脂は、外層１２２を形成するための樹脂なので、結合強度や密閉性については確保されていない虞がある。従って、隙間１６５に二次成形で充填される樹脂が流れ込むと、蓋部材１１０とインク容器１２０との間に二次成形による樹脂が存在することになり、高い結合強度や密閉性が求められる部位に対してこれらが高く保てなくなる虞が生じる。
【００２１】
また、図２２では、第２樹脂２２−ａは、可動型１６０と内層１２１との間に生じた隙間の奥の端部まで充填されている。しかし、この隙間は比較的狭い領域なので、第２樹脂２２−ａがこの隙間の内部を流動する際には第２樹脂２２−ａに比較的大きな流抵抗が生じる。従って、第２樹脂２２−ａが加圧されながら可動型１６０と第２固定型１６２との間に充填されたとしても、第２樹脂２２−ａが隙間の奥の端部まで到達せずに流れが途中で止まってしまうことが考えられる。この場合、隙間の一部に樹脂が存在しない領域が生じ、インク容器１２０と蓋部材１１０とが接触する部分に凹凸が生じる虞がある。これにより、インク容器１２０と蓋部材１１０との間における結合面積が不足し、結合部の強度が不十分となる虞がある。また、インク容器１２０と蓋部材１１０とが接触する部分の凹凸により、これらの間の密閉性が高く保たれない虞が生じる。
【００２２】
このように、従来用いられているインクタンク１０１では、インクタンク１０１のインク容器１２０を形成する部材と蓋部材１１０との結合部に、結合不良や密閉性が低下する虞がある。さらに、外層１２２を形成するのに再生樹脂が用いられた場合には、再生樹脂がインク容器１２０の内層側に流れ込んで回り込むことにより、再生樹脂が貯留されているインクに接触して溶出する虞がある。これにより、インクタンク内部に貯留されているインクの特性が変化してしまう虞がある。この問題については、インクタンク１０１の構成部品においてインク容器１２０以外の部品である蓋部材１１０についても、第２樹脂が内側に回り込んだ場合には同様の問題が生じる虞がある。
【００２３】
そこで、本発明は上記の事情に鑑み、液体収納容器において、最も内側の層よりも外側の層を形成するために用いられる樹脂が、所定位置以外の位置に流入することが抑えられる液体収納容器を提供することを目的とする。
【課題を解決するための手段】
【００２４】
本発明の液体収納容器によれば、液体容器と蓋部材とを有し、内部に液体を収容する液体収納容器において、前記液体容器は、型成形によって複数の層が重ねられて形成され、前記液体容器を形成する複数の層のうち最も内側に形成された内層の側壁における蓋部材側の端部には、前記蓋部材側の端部から突出した突出部が形成されていることを特徴とする。
【００２５】
また、本発明の液体収納容器の製造方法によれば、液体容器と蓋部材とを有する液体収納容器の製造方法であって、前記液体容器が、型成形によって複数の層が重ねられて形成され、前記液体容器を形成する複数の層のうち最も内側に形成された内層と、前記内層よりも外側の層とを形成するために共通に用いられる共通型を少なくとも一つ用いて前記液体容器を形成する液体収納容器の製造方法において、共通型と、前記内層の側壁における蓋部材側の端部に前記蓋部材側の端部から突出する突出部を形成可能な第１の型との間に第１樹脂が充填されて前記内層が成形される一次成形ステップと、前記共通型と第２の型との間に第２樹脂が充填されて前記内層よりも外側の層が成形される二次成形ステップとを有することを特徴とする。
【発明の効果】
【００２６】
本発明によれば、液体収納容器における液体容器の最も内側の層よりも外側に配置される層を形成するための樹脂が、最も内側の層の位置に入り込むことが抑えられる。また、液体容器と蓋部材との間の結合部の表面が平滑に保たれるので、それらの間の結合面積が確保され、結合強度が高く保たれる。
【発明を実施するための最良の形態】
【００２７】
以下、本発明を実施するための実施形態を添付図面を参照しながら説明する。
【００２８】
（第一実施形態）
図１および図２には、本発明の第一実施形態に係る液体収納容器としてのインクタンク１の斜視図が示されている。本実施形態のインクタンク１は、インクジェット記録装置に搭載されることが可能であり、インクタンク１から、不図示の記録ヘッドに、貯留されている液体としてのインクが供給されて、記録ヘッドから記録媒体に吐出される。図１（ａ）は図２におけるＡ−Ａ線に沿う断面図であり、図１（ｂ）は、本実施形態のインクタンクにおけるインク容器の蓋部材側の端部（Ａ部）について拡大した断面図である。また、図１（ｃ）は、本実施形態のインクタンクにおけるインク容器と蓋部材とが結合された際の結合部を拡大した断面図である。また、図２は本実施形態のインクタンクの斜視図である。
【００２９】
図１及び図２において、インクタンク１は蓋部材１０と液体容器としてのインク容器２０とを有しており、これらが結合されることで内部にインクを収容する液体収納室２が画成される。インク容器２０は、多層が型成形によって形成され、複数の層が重ねられて形成されている。本実施形態では、特に、内層２１と外層２２とによって形成されている。二層のインク容器２０のうちインクとの接触する内側の面の内層２１は、第１樹脂２１−ａによって形成されている。また、インクと接触しない外側の外層２２が、第２樹脂２２−ａによって形成されている。第１樹脂２１−ａは、再使用されていないバージン樹脂である。第１樹脂２１−ａは、インクと接触しても樹脂成分が溶出しないような、耐インク性を有している。第１樹脂２１−ａに関しては、インク容器２０の内層２１に用いられることが予めわかっていることから、耐インク性及びガスバリヤ性に関して予め確認されたものを使用することができる。ここで、第１樹脂は、第２樹脂以上の比較的高い透明性を有している。第２樹脂２２−ａとしては、着色された樹脂や、再利用樹脂等が用いられる。第２樹脂２２−ａとして再利用樹脂が用いられる場合は、第２樹脂２２−ａは一度使用されてリサイクルされた材料を含む再利用材が用いられる。インク容器２０は底面２４を有し、その底面２４に対し略垂直に延びている側壁２５を有している。また、インク容器２０の内層２１は、側壁２５の端部に、蓋部材１０とインク容器２０の結合部となるインク容器側結合部２３を有している。そして、本実施形態では、側壁２５における蓋部材１０と接する端部には、側壁２５における蓋部材側の端部以外の部分における内層２１の最も外側の部位よりもさらに外側に延びた流入防止部２６（突出部）が形成されている。流入防止部２６は、内層２１と同じく第１樹脂２１−ａによって形成されている。本実施形態のインクタンク１では、インク容器における側壁２５の蓋側の端部形状が図１（ｂ）の形状を有している。
【００３０】
蓋部材１０はインク容器側結合部２３と結合する蓋側結合部１１を有し、蓋側結合部１１がインク容器側結合部２３を形成している樹脂と同じ第１樹脂２１−ａで形成されている。
【００３１】
図１、２に示されるインクタンク１の製造方法について、図３〜５を用いて説明する。図３〜５には、第一実施形態におけるインクタンク１の製造工程について、インクタンク１のインク容器２０と、これを成形によって製造するための型の断面図が示され、また、そのときのインク容器２０の端部について拡大した断面図が示されている。
【００３２】
図３（ａ）には、多層成形によって形成されるインクタンク１のインク容器を構成する複数の層のうち、最も内側の層の内層２１を成形によって形成する一次成形の工程を示している。ここで、一次成形とは、インク容器２０における内層２１を成形によって形成する工程のことをいうものとする。また、図３（ｂ）には、そのときのインク容器２０の側壁２５における蓋部材側端部を拡大した断面図が示されている。
【００３３】
図３（ａ）に示されるように、可動型６０（共通型）と第１固定型６１（第１の型）とを有する金型の内部に、内層２１を形成するための第１樹脂２１−ａが充填される。そして可動型６０と第１固定型６１の間に射出シリンダー６３によって第１樹脂２１−ａが射出されて充填されると、可動型６０と第１固定型６１の間が加圧された状態で閉じられて成形される。このとき、金型による型締め圧によって加圧された圧力が保持される。ここで、第１固定型６１は、内層２１の側壁２５における蓋部材側端部に流入防止部を形成可能な型である。可動型６０と第１固定型６１との間に第１樹脂が充填されて、側壁２５における蓋部材側端部に流入防止部が形成された内層２１が成形される。その後、第１樹脂２１−ａが充填された金型が冷却されて第１樹脂２１−ａが固化すると、内層２１の成形が終了する。
【００３４】
図４（ａ）は、一次成形が終了した後に、二次成形のために可動型が移動して、二次成形に用いられる固定型に対応する位置に配置された際の金型及び内層２１の断面図である。このとき、一次成形で形成された内層２１は、図４（ａ）の矢印に示される方向に収縮する。また、図４（ｂ）には、内層２１の側壁２５における蓋部材側の端部について拡大した断面図が示されている。
【００３５】
インク容器２０の製造工程における図４（ａ）、（ｂ）に示される工程は、一次成形と二次成形の間の工程である。図４（ａ）には、一次成形で成形され、液体収納室２の底面２４及び側壁２５を成形する可動型６０と外層２２を形成するための第２固定型６２（第２の型）からなる金型の内部に配置されているインク容器２０の内層２１が示されている。ここでは、可動型６０が、一次成形で使用した第１固定型６１に対応した位置から二次成形で使用する第２固定型６２に対応した位置に移動する工程を示している。この第１固定型６１から第２固定型６２へ可動型６０が移動する間に、一次成形で成形された内層２１が図４（ｂ）に示す矢印の方向に収縮が行われる。
【００３６】
そして、その後図５（ａ）に示されるように二次成形によってインク容器２０の外層２２が形成される。図５（ｂ）には、二次成形が行われている際の側壁２５における蓋部材側の端部について拡大した断面図が示されている。本実施形態では、一次成形が終わった後に、外層２２を形成するために、内層２１の外側に樹脂の成形を行う工程を二次成形というものとする。二次成形では、一次成形にて形成された内層２１と固定型６２との間に第２樹脂２２−ａを射出することで外層２２を形成する。
【００３７】
ここで、一次成形後に樹脂が冷却され、その後に収縮する樹脂の収縮量は、成形された樹脂の厚さに比例する。図４（ａ）、（ｂ）に示される矢印は、その長さによって収縮量の大小の関係を示している。インク容器２０の底面２４から蓋部材に向かう方向への収縮については、この方向における樹脂部分の長さが比較的長いので、収縮量は比較的大きくなる。このとき、内層の底面２４が可動型６０に接しているので、インク容器の側壁２５が収縮すると、その変位は側壁２５における蓋側の端部の変位に現れる。従って、インク容器２０の側壁２５における蓋側の端部が底面側に移動してインク容器側結合部２３と可動型６０との間に隙間が生じてしまう。そのため、従来のインク容器の製造工程では、内層の蓋側の端部と可動型との間に隙間が生じ、ここに二次成形を行う際に用いられる樹脂が流れ込む虞があった。
【００３８】
しかしながら、本実施形態のインクタンク１におけるインク容器２０においては、インク容器２０の側壁２５における蓋部材側の端部の外側に、流入防止部２６が形成されている。この流入防止部２６は、内層２１の側壁における蓋側端部以外の部分での最も外側の位置よりもさらに外側に突出している。流入防止部２６は、インクタンク１におけるインク容器２０を製造する際に、第２樹脂２２−ａで内層２１よりも外側の層を形成する工程で、第２樹脂２２−ａの蓋側への回り込みを防止するための部材である。このように、本実施形態では内層２１の側壁における蓋側端部から外側に突出する流入防止部２６が形成されているので、流入防止部２６の外側の側面と固定型６２との間の隙間が小さく形成される。従って、流入防止部２６の外側の側面と固定型６２との間の流路の幅が、内層２１における流入防止部２６以外の部分と第２固定型６２との間の第２樹脂２２−ａの流路の幅に比べて小さく形成される。図４（ｂ）に、流入防止部２６の外側の側面と固定型６２との間の流路の幅をｄで示し、内層２１における流入防止部２６以外の部分と第２固定型６２との間の第２樹脂２２−ａの流路の幅をＤで示す。
【００３９】
図１（ｂ）に、本実施形態におけるインク容器２０の側壁２５の蓋部材側端部の先端全体がインク容器側結合部２３として形成され、流入防止部２６が外側に突出して形成されている流入防止部２６について拡大した断面図が示されている。図１（ｂ）中の矢印は、一次成形後に収縮する方向が示されている。流入防止部２６の外側の側面と固定型６２との間の流路の幅が小さいので、二次成形の工程では、内層２１の外側に外層が形成される際、流入防止部２６が内層２１と第２固定型６２との間の流路を遮ることになる。従って、流入防止部２６の外側の側面と固定型６２との間の流路は第２樹脂２２−ａにとって流抵抗が大きく、二次成形で樹脂２２−ａが充填される際には、第２樹脂２２−ａが、流入防止部２６を越えて、それ以上奥側に流入することを抑えることができる。二次成形における第２樹脂２２−ａの隙間６５の内部へ流れ込む樹脂の流入量を少なく抑えることができる。従って、インク容器２０におけるインクと接触する部分に第２樹脂２２−ａが位置することを抑えることができ、インク内に第２樹脂から溶出した樹脂成分が流入することを抑えることができる。また、インク容器２０におけるガスバリヤ性が高く保たれる。
【００４０】
また、内層２１とインク容器２０における側壁２５の蓋部材側の端部との間の隙間６５に樹脂２２−ａが流れ込むことを抑えられるので、第２樹脂２２−ａが隙間の内部で流れが止まって凹凸を形成することが抑えられる。従って、インク容器２０における側壁２５の蓋側端部表面に凹凸が生じることが抑えられ、その表面が平滑に保たれるようになる。従って、インク容器における側壁２５と蓋部材との間の接合部分で接合面積が確保されるので、それらの間の接合強度が高く保たれる。
【００４１】
また、本実施形態では特に、流入防止部２６の形状から、インク容器２０と蓋部材１０とが接合される結合部の領域として、側壁２５の蓋部材側端部の先端全体を使用することができる。従って、インク容器２０と蓋部材１０との間の結合部を広く形成することができる。図１（ｃ）に、蓋部材とインク容器とが結合された際の、結合部を拡大した断面図を示す。従って、より結合部の強度が高く確保され、インクタンクにおける形状の安定化及び品質の向上を図ることができる。
【００４２】
（第二実施形態）
次に、本発明を実施するための第二実施形態について説明する。上記の第一実施形態と同様の構成の部分については説明を省略し、異なる部分のみ説明することとする。
【００４３】
図６（ａ）〜（ｄ）には、本発明の第二実施形態に係るインクタンクの断面図が示されている。図６（ａ）は、図７におけるＢ−Ｂ線に沿う断面図であり、図６（ｂ）は、図６（ａ）におけるＢ−Ｂ線に沿う断面図である。また、図６（ｃ）は、本実施形態のインクタンク１’におけるインク容器２０’の側壁２５’の蓋部材側端部について拡大した断面図である。図６（ｄ）は、本実施形態のインクタンク１’のインク容器２０’と蓋部材１０’とが結合された際の結合部について拡大した断面図である。図７（ａ）には、そのインクタンク１’の上側から見た平面図が示されており、図７（ｂ）にはインクタンク１’の側面図が示されている。また。図７（ｃ）にはインクタンク１’を下側から見た平面図が示されており、図７（ｄ）にはインクタンク１’の正面図が示されている。
【００４４】
本実施形態のインクタンク１’はインクジェット記録装置に搭載可能なインクタンクであり、インクタンク１’における液体収納室２の底面に光学的にインク残量を検知するためのプリズム２７や光を導光する導光部３１を有している。
【００４５】
図６に示されるインクタンク１’には、蓋部材１０’とインク容器２０’とを有して形成されている。また、インクタンク１’は、蓋部材１０’とインク容器２０’とが結合することで、内部にインクを収納する液体収納室２及び吸収体を収納する吸収体収納室３を画成している。
【００４６】
インク容器２０’は、複数の層によって形成されている。本実施形態においても、インクと接触する面を有する内層２１’が第１樹脂２１−ａによって形成されており、内層２１’の外側に形成されている外層２２’が第２樹脂２２−ａによって形成されている。また、インク容器２０’には、液体収納室２の底面２４に、液体収納室２内部のインクの残量を光学的に検知するプリズム２７が形成されている。さらに、プリズム２７が形成されている内層２１’の一部が外部に露出され、外部への入光あるいは外部からの受光を可能にしている。
【００４７】
また、インクタンク１’には、自身が内部に貯留しているインクに係る個体情報を記憶した情報記憶媒体５２と発光部５１を有する基板５０が配置されている。インクタンク１’は、発光部５１の光をインクタンク１’外部に導光するための導光部３１を有しており、本実施形態では、この導光部３１は第１樹脂２１−ａによって形成されている。
【００４８】
また、第一実施形態では、インク容器２０の側壁２５における蓋側端部の外側に突出するように流入防止部２６が形成されていた。これに対して本実施形態では、図６（ａ）に示されるように、インク容器２０’の側壁２５’における蓋部材側端部の一部分のみがさらに蓋部材側の方向に突出するように流入防止部２６’が形成されている。本実施形態では、特に、側壁２５’における蓋部材側端部の外側に位置した一部分のみがさらに蓋部材側に突出している。
【００４９】
本実施形態における流入防止部２６’について拡大した断面図を、収縮方向及び収縮の度合いを示す矢印と共に図６（ｃ）に示す。図６（ｃ）に示されるように、本実施形態における流入防止部２６’の形状は、流入防止部２６’が側壁２５’から蓋部材側に突出して延びている。従って、側壁２５’の蓋部材側端部に形成された流入防止部２６と側壁２５を成形する型の間に生じる隙間が小さく形成されるので、二次成形における第２樹脂２２−ａの流れ込みの量が少なく抑えられる。また、本実施形態の流入防止部２６’の形状においては、外層２２が側壁の蓋側端部先端まで内層２１’を覆うように形成される。従って、本実施形態では、外層２２’がインク容器２０’の全体を覆うような構成となるので、デザイン性、再生樹脂の使用率の向上が可能となる。なお、本実施形態の流入防止部２６’の形状では、インク容器２０’と蓋部材１０’とが結合するインク容器側結合部２３の領域は、側壁２５’の蓋部材側端部の流入防止部２６’、外層２２’以外の部分となるので小さくなる傾向にある。しかしながら、流入防止部２６’及び外層２２’を形成する部分の厚みは、実際にはインク容器側結合部２３の領域と比較すると小さいため実際の溶着工程では問題はない。
【００５０】
第二実施形態におけるインク容器２０’の製造工程について、図８（ａ）〜（ｄ）を用いて説明する。
【００５１】
図８（ａ）に示されるように、まず内層２１’を形成するための第１樹脂２１−ａが可動型６０’と第１固定型６１’との間に充填されて一次成形が行われる。その後、図８（ｂ）に示されるように、内層２１’を保持したまま可動型が第１固定型６１’に対応する位置から第２固定型６２’に対応する位置に移動する（図８（ｃ））。このとき、一次成形で形成された内層２１’が冷却されて収縮する。その後、図８（ｃ）の内層２１’と第２固定型６２’との間に第２樹脂２２−ａが充填されて二次成形が行われる。そして、図８（ｄ）に示されるように、本実施形態のインク容器が、金型から取り出される。
【００５２】
ここで、一次成形と二次成形との間のときの収縮においては、側壁２５’の蓋部材側から底面２４に向かう方向に関しては比較的大きく収縮するが、インク容器２０’の外側から内側に向かう方向に関しては、収縮量は比較的小さい。従って、二次成形のときには、第２樹脂２２−ａは、流入防止部２６’よりも蓋部材側の部分には回り込むことはできるが、流入防止部２６’の内側の側面と可動型６１との間を通り抜けて底面側に流れ込むことは難しい。従って、二次成形の際の第２樹脂２２−ａが、流入防止部２６’よりもインク容器２０’の内側の部分に流れ込むことが抑えられる。
【００５３】
なお、インク容器における側壁の蓋部材側端部の形状については、上記の第一実施形態及び第二実施形態のものに限定されない。インク容器における側壁の蓋部材側端部に、その蓋部材側端部から突出した流入防止部が形成されて、最も内側の内層よりも外側に位置する層を形成する際に樹脂の流路が狭められるような形状であれば、側壁の蓋部材側端部は他の形状であっても良い。例えば、図９（ａ）、（ｂ）に示されるものであっても良い。
【００５４】
図９（ａ）に示される流入防止部２６’’は、インク容器の内層２１’’の側壁２５’’における蓋部材側の端部のうちの内側の一部からさらに蓋部材側に延びるように形成されている。この形状を有したインク容器の製造工程について図１０（ａ）〜（ｄ）を用いて説明する。
【００５５】
図１０（ａ）に示されるように、まず可動型６０’’と第１固定型６１’’との間に第１樹脂２１−ａが充填される。その後、図１０（ｂ）に示されるように、内層２１’’を保持したまま可動型が第１固定型６１’’に対応する位置から第２固定型６２’’に対応する位置に移動する。このとき、一次成形で形成された内層２１’’が冷却されて収縮する。その後、図１０（ｃ）に示されるように、内層２１’’と第２固定型６２’’との間に第２樹脂２２−ａが充填されて二次成形が行われる。そして、図１０（ｄ）に示されるように、本実施形態のインク容器が、金型から取り出される。
【００５６】
ここで、一次成形と二次成形との間で、可動型６０’’が第１固定型６１’’に対応する位置から第２固定型６２’’に対応する位置に移動する際に、内層２１’’が収縮する。ここで、インク容器の側壁が蓋部材側から底面に向かう方向に収縮するので、流入防止部２６’’と可動型６０’’との間に隙間が生じる。
【００５７】
しかしながら、本実施形態では流入防止部２６’’が、内層２１’’の蓋部材側端部の内側の一部に、さらに蓋部材側に延びるように形成されている。そして、流入防止部２６’’におけるインク容器の内側から外側に向かう方向においては、厚さが比較的小さいので、この方向に対する収縮は比較的小さい。従って、流入防止部２６’’における外側の部分と可動型６０’’との間の隙間の幅が小さく抑えられる。従って、二次成形の際に第２樹脂２２−ａが、流入防止部２６’’における外側の部分と可動型６０’’との間の隙間を越えて、流入防止部２６’’における蓋部材側端部と可動型６０’’との間の隙間に流れ込むことを抑えることができる。また、本実施形態では、外層２２’’がインク容器の全体を覆うような構成となるので、デザイン性、再生樹脂の使用率の向上が可能となる。
【００５８】
本実施形態におけるインク容器の側壁における蓋部材側端部と蓋部材とが結合する結合領域について拡大した断面図を図９（ｂ）に示す。
【００５９】
また、インク容器の側壁における蓋部材側端部の形状は、図１１（ａ）、（ｂ）に示されるような形状であっても良い。図１１（ａ）には、インク容器の側壁２５’’’における蓋部材側端部の外側部分からさらに外側に延び、そこからさらに蓋部材側に延びた流入防止部２６’’’が形成されている。この形状を有したインク容器の製造工程について図１２（ａ）〜（ｄ）を用いて説明する。
【００６０】
図１２（ａ）に示されるように、まず可動型６０’’’と第１固定型６１’’’との間に第１樹脂２１−ａが充填される。その後、図１２（ｂ）に示されるように、内層２１’’’を保持したまま可動型が第１固定型６１’’’に対応する位置から第２固定型６２’’’に対応する位置に移動する。このとき、一次成形で形成された内層２１’’’が冷却されて収縮する。その後、図１２（ｃ）に示されるように、内層２１’’’と第２固定型６２’’’との間に第２樹脂２２−ａが充填されて二次成形が行われる。そして、図１２（ｄ）に示されるように、本実施形態のインク容器が、金型から取り出される。
【００６１】
ここで、一次成形と二次成形との間で、可動型６０’’’が第１固定型６１’’’に対応する位置から第２固定型６２’’’に対応する位置に移動する際に、内層２１’’’が収縮する。ここで、インク容器の側壁が蓋部材側から底面に向かう方向に収縮するので、インク容器の側壁における蓋部材側端部と可動型６０’’’との間に隙間が生じる。
【００６２】
しかしながら、本実施形態では流入防止部２６’’’が、内層２１’’’の蓋部材側端部の外側部分からさらに外側に延び、そこからさらに蓋部材側に延びるように形成されている。そして、流入防止部２６’’’におけるインク容器の内側から外側に向かう方向においては、厚さが比較的小さいので、この方向に対する収縮は比較的小さい。従って、流入防止部２６’’’と可動型６０’’’との間の流路が狭く形成されるので、流入防止部２６’’’の周囲を回り込んで側壁２５’’’の蓋部材側端部と可動型６０’’’との間の隙間に第２樹脂２２−ａが到達することが抑えられる。
【００６３】
また、本実施形態の流入防止部２６’’’の形状が採用された場合、上述の実施形態に比べ、流入防止部２６’’’と可動型６０’’’との間の狭く形成された流路の長さが長く、また流路が折れ曲がって形成される。従って、流路の抵抗がさらに大きく形成されているので、二次成形における第２樹脂２２−ａが側壁２５’’’の蓋部材側端部と可動型６０’’’との間の隙間に到達することをさらに抑えることができる。
【００６４】
本実施形態におけるインク容器の側壁における蓋部材側端部と蓋部材とが結合する結合領域について拡大した断面図を図１１（ｂ）に示す。
【００６５】
なお、インクタンクの構成については、上述の実施形態で述べたもの以外のものであっても良い。
【００６６】
例えば、図１３及び図１４には、インクジェット記録装置に搭載可能な他のインクタンクの構成が示されており、液体収納室２の底面には、光学的にインク残量を検知するためのプリズム２７を有するインクタンクの形態が示されている。
【００６７】
また、図１５及び図１６には、インクジェット記録装置に搭載可能なさらに他のインクタンクの構成が示されており、光を導光する導光部３１を有する形態を示している。
【００６８】
また、図１７及び図１８には、インクジェット記録装置に搭載可能な別のインクタンクの形態を示しており、図６のインクタンクに取り付けられているプリズム２７及び導光部３１が配置されていない構成が示されている。
【図面の簡単な説明】
【００６９】
【図１】本発明の第一実施形態に係るインクタンクの断面図であり、（ａ）はインクタンク全体の断面図、（ｂ）はインクタンクにおけるインク容器の側壁における蓋部材側端部を拡大した断面図、（ｃ）はインク容器と蓋部材との結合部を拡大した断面図である。
【図２】図１のインクタンクの斜視図である。
【図３】図１のインクタンクを製造するための工程のうち、一次成形の工程を説明するための説明図であって、（ａ）は金型及び内層の全体の断面図であり、（ｂ）は内層の蓋部材側端部を拡大した断面図である。
【図４】図１のインクタンクを製造するための工程のうち、一次成形と二次成形との間を示すための説明図であって、（ａ）は金型及び内層の全体の断面図であり、（ｂ）は内層の蓋部材側端部を拡大した断面図である。
【図５】図１のインクタンクを製造するための工程のうち、二次成形の工程を説明するための説明図であって、（ａ）は金型、内層及び外層の全体の断面図であり、（ｂ）は内層及び外層の蓋部材側端部を拡大した断面図である。
【図６】本発明の第二実施形態に係るインクタンクの断面図であり、（ａ）はインクタンク全体の断面図、（ｂ）は（ａ）のＢ−Ｂ線に沿う断面図、（ｃ）は側壁における蓋部材側端部を拡大した断面図、（ｄ）はインク容器と蓋部材との結合部を拡大した断面図である。
【図７】図６のインクタンクを示し、（ａ）は上側から見た平面図、（ｂ）は側面図、（ｃ）は下側から見た平面図、（ｄ）は正面図である。
【図８】（ａ）〜（ｄ）は、図６のインクタンクにおけるインク容器を製造する工程を説明するための説明図である。
【図９】他の実施形態に係るインクタンクの断面図であり、（ａ）は側壁における蓋部材側端部を拡大した断面図、（ｂ）はインク容器と蓋部材との結合部を拡大した断面図である。
【図１０】（ａ）〜（ｄ）は、図９のインクタンクにおけるインク容器を製造する工程を説明するための説明図である。
【図１１】さらに他の実施形態に係るインクタンクの断面図であり、（ａ）は側壁における蓋部材側端部を拡大した断面図、（ｂ）はインク容器と蓋部材との結合部を拡大した断面図である。
【図１２】（ａ）〜（ｄ）は、図１１のインクタンクにおけるインク容器を製造する工程を説明するための説明図である。
【図１３】さらに他の実施形態に係るインクタンクの断面図である。
【図１４】図１３のインクタンクの上側から見た平面図、側面図、下側から見た平面図、正面図である。
【図１５】さらに他の実施形態に係るインクタンクの断面図である。
【図１６】図１５のインクタンクの上側から見た平面図、側面図、下側から見た平面図、正面図である。
【図１７】さらに他の実施形態に係るインクタンクの断面図である。
【図１８】図１７のインクタンクの上側から見た平面図、側面図、下側から見た平面図、正面図である。
【図１９】従来のインクタンクの一例を示す断面図である。
【図２０】図１９のインクタンクを製造するための工程のうち、一次成形の工程を説明するための説明図であって、（ａ）は金型及び内層の全体の断面図であり、（ｂ）は内層の蓋部材側端部を拡大した断面図である。
【図２１】図１９のインクタンクを製造するための工程のうち、一次成形と二次成形との間を示すための説明図であって、（ａ）は金型及び内層の全体の断面図であり、（ｂ）は内層の蓋部材側端部を拡大した断面図である。
【図２２】図１９のインクタンクを製造するための工程のうち、二次成形の工程を説明するための説明図であって、（ａ）は金型、内層及び外層の全体の断面図であり、（ｂ）は内層及び外層の蓋部材側端部を拡大した断面図である。
【符号の説明】
【００７０】
１  インクタンク
１０、１０’、１０’’、１０’’’  蓋部材
２０、２０’、２０’’、２０’’’  インク容器
２１、２１’、２１’’、２１’’’  内層
２２、２２’、２２’’、２２’’’  外層
２５、２５’、２５’’、２５’’’  側壁
２６、２６’、２６’’、２６’’’  流入防止部
６０、６０’、６０’’、６０’’’  可動型
６１、６１’、６１’’、６１’’’  第１固定型
６２、６２’、６２’’、６２’’’  第２固定型
【図１】
2010036367.tif 000003
【図２】
2010036367.tif 000004
【図３】
2010036367.tif 000005
【図４】
2010036367.tif 000006
【図５】
2010036367.tif 000007
【図６】
2010036367.tif 000008
【図７】
2010036367.tif 000009
【図８】
2010036367.tif 000010
【図９】
2010036367.tif 000011
【図１０】
2010036367.tif 000012
【図１１】
2010036367.tif 000013
【図１２】
2010036367.tif 000014
【図１３】
2010036367.tif 000015
【図１４】
2010036367.tif 000016
【図１５】
2010036367.tif 000017
【図１６】
2010036367.tif 000018
【図１７】
2010036367.tif 000019
【図１８】
2010036367.tif 000020
【図１９】
2010036367.tif 000021
【図２０】
2010036367.tif 000022
【図２１】
2010036367.tif 000023
【図２２】
2010036367.tif 000024